(57)【要約】    【課題】  スピーカーとディスプレイ本体を別体に構成してこれらをヒンジメカニズムと導電機能を兼ねた電気的接続構造によってヒンジ接続した構成を有するディスプレイにおいて、ヒンジ接続部の体積を減少させてディスプレイの美観を向上させる。    【解決手段】  絶縁物５６０を備えた軸体５００と、軸体５００にヒンジ接続した第一導電モジュールと、第一導電モジュールに相対して回転可能に軸体５００にヒンジ接続した第二導電モジュールとを備え、絶縁物５６０は第一導電モジュールと第二導電モジュールの間に設けられ、第一導電モジュールと第二導電モジュールを電気的に絶縁するように構成した。【選択図】    図５
0003109535.tif 000002
【実用新案登録請求の範囲】
【請求項１】
絶縁物を備えた軸体と、この軸体にヒンジ接続した第一導電モジュールと、この第一導電モジュールに相対して回転可能に前記軸体にヒンジ接続した第二導電モジュールとを備え、前記絶縁物は前記第一導電モジュールと前記第二導電モジュールの間に設けられ、前記第一導電モジュールと前記第二導電モジュールを電気的に絶縁するように構成されたことを特徴とするディスプレイの電気的接続構造。
【請求項２】
前記第一導電モジュールは、前記軸体にヒンジ接続した第一導体と、この第一導体に相対して回転可能に前記軸体にヒンジ接続し前記第一導体に電気的に接続した第二導体とを備え、前記第二導電モジュールは、前記軸体にヒンジ接続した第三導体と、この第三導体に相対して回転可能に前記軸体にヒンジ接続し前記第三導体に電気的に接続した第四導体とを備え、前記絶縁物は、前記第二導体と前記第三導体の間に設けられ、前記第二導体と前記第三導体を電気的に絶縁するように構成されたことを特徴とする請求項１に記載のディスプレイの電気的接続構造。
【請求項３】
前記軸体は第一軸部と第二軸部とを備え、前記第一軸部は前記絶縁物を介して前記第二軸部と接合して前記第二軸部と電気的に絶縁され、前記第一導体及び前記第二導体は前記第一軸部とヒンジ接続し、前記第三導体及び第四導体は前記第二軸部とヒンジ接続していることを特徴とする請求項２に記載のディスプレイの電気的接続構造。
【請求項４】
前記第一導体及び前記第二導体は、前記第一軸部によって電気的に接続されたことを特徴とする請求項３に記載のディスプレイの電気的接続構造。
【請求項５】
前記第三導体及び第四導体は、前記第二軸部によって電気的に接続されたことを特徴とする請求項３又は４に記載の電気的接続構造。
【請求項６】
前記絶縁物は、円筒形の絶縁本体と、この絶縁本体に設けられた突縁とを備えたことを特徴とする請求項２〜５のいずれか１項に記載のディスプレイの電気的接続構造。
【請求項７】
前記第二導体と前記第三導体は、前記突縁を挟んで配置されたことを特徴とする請求項６に記載のディスプレイの電気的接続構造。
【請求項８】
前記第一軸部は円柱形であって前記絶縁本体の中に挿し込み接続され、前記第二軸部は筒状であって前記絶縁本体の外周に嵌め込み接続されたことを特徴とする請求項６又は７に記載のディスプレイの電気的接続構造。
【請求項９】
前記絶縁物はポリテトラフルオロエチレンからなることを特徴とする請求項１〜８のいずれか１項に記載のディスプレイの電気的接続構造。
【請求項１０】
ディスプレイ本体と、このディスプレイ本体に設けられ絶縁物を備えた軸体と、この軸体にヒンジ接続されたスピーカーと、前記軸体にヒンジ接続され前記ディスプレイ本体と前記スピーカーとを電気的に接続する第一導電モジュールと、この第一導電モジュールに相対して回転可能に前記軸体にヒンジ接続され前記ディスプレイ本体と前記スピーカーとを電気的に接続する第二導電モジュールとを備え、前記絶縁物は前記第一導電モジュールと前記第二導電モジュールの間に設けられ、前記第一導電モジュールと前記第二導電モジュールを電気的に絶縁するように構成されたことを特徴とするディスプレイ。
【請求項１１】
前記第一導電モジュールは、前記軸体にヒンジ接続し前記スピーカーに電気的に接続した第一導体と、この第一導体に相対して回転可能に前記軸体にヒンジ接続し前記第一導体と前記ディスプレイ本体とに電気的に接続した第二導体とを備え、前記第二導電モジュールは、前記軸体にヒンジ接続し前記スピーカーに電気的に接続した第三導体と、この第三導体に相対して回転可能に前記軸体にヒンジ接続し前記第三導体と前記ディスプレイ本体とに電気的に接続した第四導体とを備え、前記絶縁物は、前記第二導体と前記第三導体の間に設けられ、前記第二導体と前記第三導体を電気的に絶縁するように構成されたことを特徴とする請求項１０に記載のディスプレイ。
【請求項１２】
前記軸体は第一軸部と第二軸部とを備え、前記第一軸部は前記絶縁物を介して前記第二軸部と接合して前記第二軸部と電気的に絶縁され、前記第一導体及び前記第二導体は前記第一軸部とヒンジ接続し、前記第三導体及び第四導体は前記第二軸部とヒンジ接続していることを特徴とする請求項１１に記載のディスプレイ。
【請求項１３】
前記第一導体及び前記第二導体は、前記第一軸部によって電気的に接続されたことを特徴とする請求項１２に記載のディスプレイ。
【請求項１４】
前記第三導体及び第四導体は、前記第二軸部によって電気的に接続されたことを特徴とする請求項１２又は１３に記載のディスプレイ。
【請求項１５】
前記絶縁物は、円筒形の絶縁本体と、この絶縁本体に設けられた突縁とを備えたことを特徴とする請求項１１〜１４のいずれか１項に記載のディスプレイ。
【請求項１６】
前記第二導体と前記第三導体は、前記突縁を挟んで配置されたことを特徴とする請求１５に記載のディスプレイ。
【請求項１７】
前記第一軸部は円柱形であって前記絶縁本体の中に挿し込み接続され、前記第二軸部は筒状であって前記絶縁本体の外周に嵌め込み接続されたことを特徴とする請求項１５又は１６に記載のディスプレイ。
【請求項１８】
前記絶縁物はポリテトラフルオロエチレンからなることを特徴とする請求項１０〜１７のいずれか１項に記載のディスプレイ。
【考案の詳細な説明】
【技術分野】
【０００１】
本考案は、ディスプレイおよびその電気的接続構造に関し、特に、ディスプレイの二つの電子装置間を接続するヒンジに設けられ、ヒンジ構造と導電機能を兼ねた電気的接続構造に関するものである。
【背景技術】
【０００２】
従来のスピーカー付きのディスプレイは、スピーカーをディスプレイ本体の中に内蔵した方式としているものが多いが、このような方式では、ディスプレイの形が単調になるという欠点があった。そこで、仮に、スピーカーとディスプレイ本体を別体に構成してこれらを接続する方式とすれば、形状だけでなく、機能面においても優れたディスプレイを提供できると考えられる。別体に構成したスピーカーとディスプレイ本体を接続する方式の一つとしては、ヒンジ接続の方式が考えられる。
【０００３】
現在の多くの電子装置では、形状、機能面などの設計上の理由から、二つ、または複数の電子モジュールまたは装置がヒンジ接続の方式で接続されている。例えば、ノート型パソコンまたはＰＤＡでは、ディスプレイは、ＣＰＵにヒンジ接続されている。一般的に、電子モジュール間には、デジタル信号の伝送または電力の伝送などをするための、電気的接続を保持しなければならない。一般的な電気的接続の方式は、配線またはデジタル線をヒンジ接続部に接続し、ヒンジ接続部を電気的接続の媒介としている。このような電気的接続の例として、特許文献１に開示される携帯式の無線装置においては、第一ハウジング（ｆｉｒｓｔ  ｈｏｕｓｉｎｇ）にヒンジ接続したアンテナ部（ａｎｔｅｎｎａ  ｓｅｃｔｉｏｎ）を有し、そのヒンジメカニズム（ｈｉｎｇｅ  ｍｅｃｈａｎｉｓｍ）は、第一環状軸部（ｆｉｒｓｔ  ｒｉｎｇ  ｓｈａｆｔ  ｐｏｒｔｉｏｎ）と第二環状軸部（ｓｅｃｏｎｄ  ｒｉｎｇ  ｓｈａｆｔ  ｐｏｒｔｉｏｎ）から構成され、これら第一環状軸部と第二環状軸部の両者は同心円の方式で接合し、それぞれ導電突起（ｐｒｏｔｒｕｓｉｏｎ）が設けられている。シグナル線は、これら導電突起に接触し、これによってシグナルを伝送する電気的接続が達成される。しかし、このようなヒンジメカニズムにおいては、設計上、第一と第二環状軸部の間に導電突起を設置するための空間を予め設けなければならず、全体的なヒンジ接続部が占める体積が大きくなってしまい、ディスプレイの美観を損なうといった問題があった。
【特許文献１】米国特許第６,７８２,２７３号公報
【考案の開示】
【考案が解決しようとする課題】
【０００４】
本考案は、上記のような問題を解決し、スピーカーとディスプレイ本体を別体に構成してこれらをヒンジメカニズムと導電機能を兼ねた電気的接続構造によってヒンジ接続した構成を有するディスプレイにおいて、ヒンジ接続部の体積を減少させてディスプレイの美観を向上させることを目的とする。
【課題を解決するための手段】
【０００５】
本考案のディスプレイの電気的接続構造は、絶縁物を備えた軸体と、この軸体にヒンジ接続した第一導電モジュールと、この第一導電モジュールに相対して回転可能に前記軸体にヒンジ接続した第二導電モジュールとを備え、前記絶縁物は前記第一導電モジュールと前記第二導電モジュールの間に設けられ、前記第一導電モジュールと前記第二導電モジュールを電気的に絶縁するように構成されたことを特徴とする。
【０００６】
また、前記第一導電モジュールは、前記軸体にヒンジ接続した第一導体と、この第一導体に相対して回転可能に前記軸体にヒンジ接続し前記第一導体に電気的に接続した第二導体とを備え、前記第二導電モジュールは、前記軸体にヒンジ接続した第三導体と、この第三導体に相対して回転可能に前記軸体にヒンジ接続し前記第三導体に電気的に接続した第四導体とを備え、前記絶縁物は、前記第二導体と前記第三導体の間に設けられ、前記第二導体と前記第三導体を電気的に絶縁するように構成されたことを特徴とする。
【０００７】
また、前記軸体は第一軸部と第二軸部とを備え、前記第一軸部は前記絶縁物を介して前記第二軸部と接合して前記第二軸部と電気的に絶縁され、前記第一導体及び前記第二導体は前記第一軸部とヒンジ接続し、前記第三導体及び第四導体は前記第二軸部とヒンジ接続していることを特徴とする。
【０００８】
また、前記第一導体及び前記第二導体は、前記第一軸部によって電気的に接続されたことを特徴とする。
【０００９】
また、前記第三導体及び第四導体は、前記第二軸部によって電気的に接続されたことを特徴とする。
【００１０】
また、前記絶縁物は、円筒形の絶縁本体と、この絶縁本体に設けられた突縁とを備えたことを特徴とする。
【００１１】
また、前記第二導体と前記第三導体は、前記突縁を挟んで配置されたことを特徴とする。
【００１２】
また、前記第一軸部は円柱形であって前記絶縁本体の中に挿し込み接続され、前記第二軸部は筒状であって前記絶縁本体の外周に嵌め込み接続されたことを特徴とする。
【００１３】
また、前記絶縁物はポリテトラフルオロエチレンからなることを特徴とする。
【００１４】
本考案のディスプレイは、ディスプレイ本体と、このディスプレイ本体に設けられ絶縁物を備えた軸体と、この軸体にヒンジ接続されたスピーカーと、前記軸体にヒンジ接続され前記ディスプレイ本体と前記スピーカーとを電気的に接続する第一導電モジュールと、この第一導電モジュールに相対して回転可能に前記軸体にヒンジ接続され前記ディスプレイ本体と前記スピーカーとを電気的に接続する第二導電モジュールとを備え、前記絶縁物は前記第一導電モジュールと前記第二導電モジュールの間に設けられ、前記第一導電モジュールと前記第二導電モジュールを電気的に絶縁するように構成されたことを特徴とする。
【００１５】
また、前記第一導電モジュールは、前記軸体にヒンジ接続し前記スピーカーに電気的に接続した第一導体と、この第一導体に相対して回転可能に前記軸体にヒンジ接続し前記第一導体と前記ディスプレイ本体とに電気的に接続した第二導体とを備え、前記第二導電モジュールは、前記軸体にヒンジ接続し前記スピーカーに電気的に接続した第三導体と、この第三導体に相対して回転可能に前記軸体にヒンジ接続し前記第三導体と前記ディスプレイ本体とに電気的に接続した第四導体とを備え、前記絶縁物は、前記第二導体と前記第三導体の間に設けられ、前記第二導体と前記第三導体を電気的に絶縁するように構成されたことを特徴とする。
【００１６】
また、前記軸体は第一軸部と第二軸部とを備え、前記第一軸部は前記絶縁物を介して前記第二軸部と接合して前記第二軸部と電気的に絶縁され、前記第一導体及び前記第二導体は前記第一軸部とヒンジ接続し、前記第三導体及び第四導体は前記第二軸部とヒンジ接続していることを特徴とする。
【００１７】
また、前記第一導体及び前記第二導体は、前記第一軸部によって電気的に接続されたことを特徴とする。
【００１８】
また、前記第三導体及び第四導体は、前記第二軸部によって電気的に接続されたことを特徴とする。
【００１９】
また、前記絶縁物は、円筒形の絶縁本体と、この絶縁本体に設けられた突縁とを備えたことを特徴とする。
【００２０】
また、前記第二導体と前記第三導体は、前記突縁を挟んで配置されたことを特徴とする。
【００２１】
また、前記第一軸部は円柱形であって前記絶縁本体の中に挿し込み接続され、前記第二軸部は筒状であって前記絶縁本体の外周に嵌め込み接続されたことを特徴とする。
【００２２】
また、前記絶縁物はポリテトラフルオロエチレンからなることを特徴とする。
【考案の効果】
【００２３】
本考案によれば、は、別体に構成されたスピーカーとディスプレイ本体をヒンジメカニズムによって接続したディスプレイにおいて、ヒンジ接続部の体積を増加させずにヒンジメカニズムと導電機能を兼ねた電気的接続構造によって、スピーカーとディスプレイ本体をヒンジ接続することができ、ディスプレイの美観を向上させることができる。また、第一導電モジュールと第二導電モジュールの間に絶縁物を設けたことによって、二組の異なるシグナルを伝送することができる。
【考案を実施するための最良の形態】
【００２４】
本考案についての目的、特徴、長所が一層明確に理解されるよう、以下に実施形態を例示し、図面を参照しながら、詳細に説明する。
【実施例】
【００２５】
図１、図２は、本考案のディスプレイの好ましい実施例を示している。ディスプレイ１０は、ディスプレイ本体５０と二つのスピーカー６０、７０を備え、スピーカー６０、７０は、それぞれディスプレイ本体５０にヒンジ接続され、ディスプレイ本体５０の前面はスピーカー６０、７０によって開け閉め可能になっている。
【００２６】
図３は、ディスプレイ１０の分解図、図４は、図３の部分拡大図である。スピーカー６０（スピーカー本体６２とスピーカーモジュール６４を含む）とディスプレイ本体５０のヒンジ接続部には、電気的接続構造１０００が設けられ、ディスプレイ本体５０とスピーカー６０の間のシグナルと電力の伝送を可能にしている。同時にこの電気的接続構造１０００はまた、ディスプレイ本体５０とスピーカー６０をヒンジ接続するヒンジメカニズムとなっている。
【００２７】
図５、図６は、電気的接続構造１０００の斜視図であり、図７は、電気的接続構造１０００の分解図である。電気的接続構造１０００は、第一導体１００、第二導体２００、第三導体３００、第四導体４００と軸体５００を備えている。前記軸体５００は、第一軸部５２０、第二軸部５４０と絶縁物５６０を備えている。本実施例では、第一導体１００と第四導体４００は、スピーカーの中に設置され、第二導体２００と第三導体３００は、ディスプレイ本体５０の中に設置される。第一導体１００と第二導体２００は、両方とも第一軸部５２０にヒンジ接続し、且つ、第一導体１００と第二導体２００は、相対して回転することができ、第三導体３００と第四導体４００は、両方とも第二軸部５４０にヒンジ接続し、且つ、第三導体３００と第四導体４００は、相対して回転することができるようになっている。
【００２８】
図６を参照すると、本実施例では、第一軸部５２０と第二軸部５４０は、両方とも銅から形成され、絶縁物５６０は、テフロン（登録商標）などのポリテトラフルオロエチレンから形成されている。第一導体１００と第二導体２００は、第一軸部５２０によって電気的に接続されて第一導体モジュール７００を形成し、また、第三導体３００と第四導体４００は、第二軸部５４０によって電気的に接続されて第二導体モジュール８００を形成している。第一導体モジュール７００と第二導体モジュール８００は、相対して回転することができるようになっている。第一軸部５２０が前記絶縁物５６０を介して第二軸部５４０に接合されることで、第一軸部５２０と第二軸部５４０は電気的に絶縁されている。すなわち、第一導体モジュール７００と第二導体モジュール８００は、電気的に絶縁されている。したがって、第一導体モジュール７００と第二導体モジュール８００によって二組のデジタルシグナルを伝送することができ、第一導体モジュール７００と第二導体モジュール８００の間に短絡が生じることもない。また、例えば、第一導体モジュール７００を電源の正極に接続し、第二導体モジュール８００を電源の負極に接続するといった使い方も可能である。
【００２９】
図７を参照すると、絶縁物５６０は突縁５６２を有する円筒状に形成されており、第一軸部５２０は円柱体であり、第二軸部５４０は嵌め込み型の筒状に形成されており、第一軸部５２０を絶縁物５６０の中に挿し込み、第二軸部５４０を絶縁物５６０の外周に嵌め込んでこれらを接合することで、軸体５００が組立てられている。第一導体１００と第二導体２００は、第一軸部５２０にヒンジ接続され、電気的に接続されている。第三導体３００と第四導体４００は、第二軸部５４０にヒンジ接続され、電気的に接続されている。また、第二導体２００と第三導体３００は、突縁５６２の両側を挟むように接続されており、第二導体２００が第三導体３００に接触して第一導体モジュール７００と第二導体モジュール８００が電気的に短絡することを防止するようになっている。
【００３０】
以上のように、本考案のディスプレイの電気的接続構造によれば、絶縁物５６０を備えた軸体５００と、この軸体５００にヒンジ接続した第一導電モジュール７００と、この第一導電モジュール７００に相対して回転可能に前記軸体５００にヒンジ接続した第二導電モジュール８００とを備え、前記絶縁物５６０は前記第一導電モジュール７００と前記第二導電モジュール８００の間に設けられ、前記第一導電モジュール７００と前記第二導電モジュール８００を電気的に絶縁するように構成されている。
【００３１】
また、前記第一導電モジュール７００は、前記軸体５００にヒンジ接続した第一導体１００と、この第一導体１００に相対して回転可能に前記軸体５００にヒンジ接続し前記第一導体１００に電気的に接続した第二導体２００とを備え、前記第二導電モジュール８００は、前記軸体５００にヒンジ接続した第三導体３００と、この第三導体３００に相対して回転可能に前記軸体５００にヒンジ接続し前記第三導体３００に電気的に接続した第四導体４００とを備え、前記絶縁物５６０は、前記第二導体２００と前記第三導体３００の間に設けられ、前記第二導体２００と前記第三導体３００を電気的に絶縁するように構成されている。
【００３２】
また、前記軸体５００は第一軸部５２０と第二軸部５４０とを備え、前記第一軸部５２０は前記絶縁物５６０を介して前記第二軸部５４０と接合して前記第二軸部５４０と電気的に絶縁され、前記第一導体１００及び前記第二導体２００は前記第一軸部５２０とヒンジ接続し、前記第三導体３００及び第四導体４００は前記第二軸部５４０とヒンジ接続している。
【００３３】
また、前記第一導体１００及び前記第二導体２００は、前記第一軸部５２０によって電気的に接続されている。
【００３４】
また、前記第三導体３００及び第四導体４００は、前記第二軸部５４０によって電気的に接続されている。
【００３５】
また、前記絶縁物５６０は、円筒形の絶縁本体と、この絶縁本体に設けられた突縁５６２とを備えている。
【００３６】
また、前記第二導体２００と前記第三導体３００は、前記突縁５６３を挟んで配置されている。
【００３７】
また、前記第一軸部５２０は円柱形であって前記絶縁本体の中に挿し込み接続され、前記第二軸部５４０は筒状であって前記絶縁本体の外周に嵌め込み接続されている。
【００３８】
また、前記絶縁物５６０はポリテトラフルオロエチレンからなる。
【００３９】
また、本考案のディスプレイは、ディスプレイ本体５０と、このディスプレイ本体５０に設けられ絶縁物５６０を備えた軸体５００と、この軸体５００にヒンジ接続されたスピーカー６０、７０と、前記軸体５００にヒンジ接続され前記ディスプレイ本体５０と前記スピーカー６０，７０とを電気的に接続する第一導電モジュール７００と、この第一導電モジュール７００に相対して回転可能に前記軸体５００にヒンジ接続され前記ディスプレイ本体５０と前記スピーカー６０、７０とを電気的に接続する第二導電モジュール８００とを備え、前記絶縁物５６０は前記第一導電モジュール７００と前記第二導電モジュール８００の間に設けられ、前記第一導電モジュール７００と前記第二導電モジュール８００を電気的に絶縁するように構成されている。
【００４０】
また、前記第一導電モジュール７００は、前記軸体５００にヒンジ接続し前記スピーカー６０、７０に電気的に接続した第一導体１００と、この第一導体１００に相対して回転可能に前記軸体５００にヒンジ接続し前記第一導体１００と前記ディスプレイ本体５０とに電気的に接続した第二導体２００とを備え、前記第二導電モジュール８００は、前記軸体５００にヒンジ接続し前記スピーカー６０、７０に電気的に接続した第三導体３００と、この第三導体３００に相対して回転可能に前記軸体５００にヒンジ接続し前記第三導体３００と前記ディスプレイ本体５０とに電気的に接続した第四導体４００とを備え、前記絶縁物５６０は、前記第二導体２００と前記第三導体３００の間に設けられ、前記第二導体２００と前記第三導体３００を電気的に絶縁するように構成されている。
【００４１】
また、前記軸体５００は第一軸部５２０と第二軸部５４０とを備え、前記第一軸部５２０は前記絶縁物５６０を介して前記第二軸部５４０と接合して前記第二軸部５４０と電気的に絶縁され、前記第一導体１００及び前記第二導体２００は前記第一軸部５２０とヒンジ接続し、前記第三導体３００及び第四導体４００は前記第二軸部５４０とヒンジ接続している。
【００４２】
また、前記第一導体１００及び前記第二導体２００は、前記第一軸部５２０によって電気的に接続されている。
【００４３】
また、前記第三導体３００及び第四導体４００は、前記第二軸部５４０によって電気的に接続されている。
【００４４】
また、前記絶縁物５６０は、円筒形の絶縁本体と、この絶縁本体に設けられた突縁５６２とを備えている。
【００４５】
また、前記第二導体２００と前記第三導体３００は、前記突縁５６２を挟んで配置されている。
【００４６】
また、前記第一軸部５２０は円柱形であって前記絶縁本体の中に挿し込み接続され、前記第二軸部５４０は筒状であって前記絶縁本体の外周に嵌め込み接続されている。
【００４７】
また、前記絶縁物５６０はポリテトラフルオロエチレンからなる。
【００４８】
以上の構成によれば、別体に構成されたスピーカー６０、７０とディスプレイ本体５０をヒンジメカニズムによって接続したディスプレイにおいて、ヒンジ接続部の体積を増加させずにヒンジメカニズムと導電機能を兼ねた電気的接続構造１０００によって、スピーカー６０、７０とディスプレイ本体５０をヒンジ接続することができ、ディスプレイの美観を向上させることができる。また、第一導電モジュール７００と第二導電モジュール８００の間に絶縁物５６０を設けたことによって、二組の異なるシグナルを伝送することができる。
【００４９】
以上、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、実用新案登録請求の範囲を基準とする。
【図面の簡単な説明】
【００５０】
【図１】本考案のディスプレイの斜視図である（クローズ状態）。
【図２】本考案のディスプレイの斜視図である（オープン状態）。
【図３】本考案のディスプレイの分解斜視図である。
【図４】図３の部分拡大図である。
【図５】本考案の電気的接続構造の斜視図である。
【図６】本考案の電気的接続構造の別の斜視図である。
【図７】本考案の電気的接続構造の分解図である。
【符号の説明】
【００５１】
１０  ディスプレイ
５０  ディスプレイ本体
６０、７０  スピーカー
６２  スピーカー本体
６４  スピーカーモジュール
１００  第一導体
２００  第二導体
３００  第三導体
４００  第四導体
５００  軸体
５２０  第一軸部
５４０  第二軸部
５６０  絶縁物
５６２  突縁
７００  第一導電モジュール
８００  第二導電モジュール
１０００  電気的接続構造
【図１】
0003109535.tif 000003
【図２】
0003109535.tif 000004
【図３】
0003109535.tif 000005
【図４】
0003109535.tif 000006
【図５】
0003109535.tif 000007
【図６】
0003109535.tif 000008
【図７】
0003109535.tif 000009